(57)【特許請求の範囲】
【請求項１】
搬送されているシート又はウエブに付着しているゴミを付着させるように当該シート又は当該ウエブに接触する回転体と、
外周面に粘着性を有して前記回転体に付着している前記ゴミを転移させるように当該回転体に対接する粘着ローラと
を備えているゴミ取り装置において、
前記シート又は前記ウエブに対して前記回転体を接触離反方向へ移動できるように当該回転体を支持する回転体支持手段と、
前記回転体に対して前記粘着ローラを対接離反方向へ移動できるように当該粘着ローラを支持する粘着ローラ支持手段と、
前記回転体支持手段に設けられて前記回転体の移動と共に移動する係合部材と、
前記粘着ローラ支持手段に設けられて前記回転体に対する前記粘着ローラの対接に伴って前記係合部材に係合する被係合部材と、
前記回転体に対して前記粘着ローラを対接離反方向へ移動させるように前記粘着ローラ支持手段を移動させると共に当該回転体に対する当該粘着ローラの対接に伴って前記被係合部材を前記係合部材に対して弾性的に押し付けるように係合させる粘着ローラ押圧手段と、
前記粘着ローラ支持手段に設けられて前記回転体に対する前記粘着ローラの押圧力を調整する粘着ローラ押圧力調整手段と
を備え、
前記粘着ローラ押圧力調整手段が、
前記粘着ローラ支持手段に回動可能に設けられて前記粘着ローラを回転可能に支持する偏心軸受と、
前記偏心軸受を回動させる偏心軸受回動手段と
を備えている
ことを特徴とするゴミ取り装置。
【請求項２】
請求項１に記載のゴミ取り装置において、
前記偏心軸受回動手段が、
前記偏心軸受に一端側を連結されたアームと、
前記偏心軸受の軸方向へ軸心を向けるようにして前記アームの他端側に回動可能に支持されてねじ穴を形成された係合ピンと、
前記粘着ローラ支持手段に対して回転可能に支持されて前記係合ピンの前記ねじ穴に螺合する調整ねじと、
基端側に把持可能な把持部を有して前記調整ねじの頭部と着脱可能に係合する係合部を先端に有すると共に、装置の外部で前記把持部を把持して前記調整ねじの前記頭部に前記係合部を係合させて当該装置の外部から当該調整ねじの回転を可能とする長さを有する操作工具と
を備えていることを特徴とするゴミ取り装置。
【請求項３】
請求項１又は請求項２に記載のゴミ取り装置において、
前記係合部材が、カムであり、
前記被係合部材が、前記回転体に対する前記粘着ローラの対接に伴って前記カムのカム面に当接するカムフォロアである
ことを特徴とするゴミ取り装置。
【請求項４】
請求項３に記載のゴミ取り装置において、
前記粘着ローラを前記回転体に対して対接させているときに、当該回転体の移動に伴って当該粘着ローラを当該回転体の外周面に一定の押圧力で対接させたまま当該回転体の移動に追従させて移動させるように、前記カムが前記カム面で前記カムフォロアを移動させるものである
ことを特徴とするゴミ取り装置。
【発明の詳細な説明】
【技術分野】
【０００１】
本発明は、搬送されているシート又はウエブに付着しているゴミを除去するゴミ取り装置に関し、特に、印刷機の印刷ユニットに給紙される枚葉紙やウエブに付着している紙粉や裏移り防止用のパウダ等のゴミを取り除く場合に適用すると有効である。
【背景技術】
【０００２】
印刷機の印刷ユニットに給紙される枚葉紙に付着している紙粉や裏移り防止用のパウダ等のゴミを取り除くゴミ取り装置としては、例えば、下記特許文献１等に記載されているように、印刷機の枚葉紙流通方向最上流側に位置する印刷ユニットのゴム胴のブランケット面に湿し水のみを供給することにより、当該ゴム胴の当該ブランケット面に上記ゴミを付着させて、粘着ローラで粘着性の表面に転移させて除去するようにしたものが知られている。
【先行技術文献】
【特許文献】
【０００３】
【特許文献１】実公平０７−０３７８７１号公報
【発明の概要】
【発明が解決しようとする課題】
【０００４】
しかしながら、前記特許文献１等に記載されているゴミ取り装置においては、中央部分を揺動可能に支持されて先端側で粘着ローラを支持するレバーの基端側を調整ナット及び圧縮コイルばねで挟んで保持することにより、粘着ローラをゴム胴に接触させるようにしているため、枚葉紙の厚さや質等の特性の変更に対応して、枚葉紙に対するゴム胴の押圧力を変更するように当該ゴム胴を移動させると、当該ゴム胴に対する粘着ローラの押圧力も変化してしまうことから、当該ゴム胴の移動量によっては前記圧縮コイルばねを変更する必要を生じてしまい、ゴム胴に対する粘着ローラの押圧力の調整を容易に行うことができなかった。
【０００５】
このような問題は、枚葉紙に印刷を施す枚葉印刷機に限らず、ウエブに印刷を施すウエブ印刷機はもちろんのこと、搬送されているシート又はウエブに付着しているゴミを回転体に付着させて当該回転体から粘着ローラにゴミを転移させて取り除くゴミ取り装置であれば、前述した場合と同様にして生じ得ることである。
【０００６】
このようなことから、本発明は、回転体を移動させてしまっても、当該回転体に対する粘着ローラの押圧力の調整を容易に行うことができるゴミ取り装置を提供することを目的とする。
【課題を解決するための手段】
【０００７】
前述した課題を解決するための、本発明に係るゴミ取り装置は、搬送されているシート又はウエブに付着しているゴミを付着させるように当該シート又は当該ウエブに接触する回転体と、外周面に粘着性を有して前記回転体に付着している前記ゴミを転移させるように当該回転体に対接する粘着ローラとを備えているゴミ取り装置において、前記シート又は前記ウエブに対して前記回転体を接触離反方向へ移動できるように当該回転体を支持する回転体支持手段と、前記回転体に対して前記粘着ローラを対接離反方向へ移動できるように当該粘着ローラを支持する粘着ローラ支持手段と、前記回転体支持手段に設けられて前記回転体の移動と共に移動する係合部材と、前記粘着ローラ支持手段に設けられて前記回転体に対する前記粘着ローラの対接に伴って前記係合部材に係合する被係合部材と、前記回転体に対して前記粘着ローラを対接離反方向へ移動させるように前記粘着ローラ支持手段を移動させると共に当該回転体に対する当該粘着ローラの対接に伴って前記被係合部材を前記係合部材に対して弾性的に押し付けるように係合させる粘着ローラ押圧手段と、前記粘着ローラ支持手段に設けられて前記回転体に対する前記粘着ローラの押圧力を調整する粘着ローラ押圧力調整手段とを備え、前記粘着ローラ押圧力調整手段が、前記粘着ローラ支持手段に回動可能に設けられて前記粘着ローラを回転可能に支持する偏心軸受と、前記偏心軸受を回動させる偏心軸受回動手段とを備えていることを特徴とする。
【０００９】
また、本発明に係るゴミ取り装置は、上述したゴミ取り装置において、前記偏心軸受回動手段が、前記偏心軸受に一端側を連結されたアームと、前記偏心軸受の軸方向へ軸心を向けるようにして前記アームの他端側に回動可能に支持されてねじ穴を形成された係合ピンと、前記粘着ローラ支持手段に対して回転可能に支持されて前記係合ピンの前記ねじ穴に螺合する調整ねじと、基端側に把持可能な把持部を有して前記調整ねじの頭部と着脱可能に係合する係合部を先端に有すると共に、装置の外部で前記把持部を把持して当該装置の外部から前記調整ねじの前記頭部に前記係合部を係合させて当該装置の外部から当該調整ねじの回転を可能とする長さを有する操作工具とを備えていることを特徴とする。
【００１０】
また、本発明に係るゴミ取り装置は、上述したゴミ取り装置において、前記係合部材が、カムであり、前記被係合部材が、前記回転体に対する前記粘着ローラの対接に伴って前記カムのカム面に当接するカムフォロアであることを特徴とする。
【００１１】
また、本発明に係るゴミ取り装置は、上述したゴミ取り装置において、前記粘着ローラを前記回転体に対して対接させているときに、当該回転体の移動に伴って当該粘着ローラを当該回転体の外周面に一定の押圧力で対接させたまま当該回転体の移動に追従させて移動させるように、前記カムが前記カム面で前記カムフォロアを移動させるものであることを特徴とする。
【発明の効果】
【００１２】
本発明に係るゴミ取り装置によれば、粘着ローラ押圧力調整手段により回転体の外周面に対する粘着ローラの押圧力を容易に調整することができ、さらに、回転体支持手段で当該回転体を移動させると、当該回転体の移動に伴って係合部材も移動し、被係合部材が粘着ローラ移動手段の弾性的な付勢力（押し付け力）に抗しつつ係合部材と共に移動することにより、粘着ローラが当該回転体の外周面に一定の押圧力で対接したまま当該回転体の移動に追従するように移動するので、当該回転体の移動によらず、調整された押圧力を維持することができる。
【図面の簡単な説明】
【００１３】
【図１】本発明に係るゴミ取り装置を適用した枚葉印刷機の主な実施形態の全体概略構成図である。
【図２】図１のゴミ取り装置の要部の抽出拡大図である。
【図３】図１のゴミ取り装置の他の要部の抽出拡大図である。
【図４】図２の矢線IV方向からみた一部破断図である。
【図５】図２のゴミ取り装置の操作説明図である。
【発明を実施するための形態】
【００１４】
本発明に係るゴミ取り装置の実施形態を図面に基づいて以下に説明するが、本発明は図面に基づいて説明する以下の実施形態のみに限定されるものではない。
【００１５】
［主な実施形態］
本発明に係るゴミ取り装置を枚葉印刷機に適用した場合の主な実施形態を図１〜４に基づいて説明する。
【００１６】
図１に示すように、給紙装置１００には、給紙台１０１上に積載されたシートである枚葉紙１を一枚ずつ送り出すフィーダボード１０２の基端側が連絡している。このフィーダボード１０２の先端側には、フィーダボード１０２上の枚葉紙１を渡胴２０１に一枚ずつ受け渡すスイング装置１０３が配設されている。
【００１７】
前記渡胴２０１には、ゴミ取り装置２００の圧胴２０２が対接している。この圧胴２０２には、回転体であるゴム胴２０３が対接している。前記圧胴２０２の前記ゴム胴２０３との対接位置よりも当該圧胴２０２の回転方向下流側には、渡胴３０１が対接している。この渡胴３０１には、第一印刷ユニット３００の圧胴３０２が対接している。この圧胴３０２には、ゴム胴３０３が対接している。このゴム胴３０３には、版胴３０４が対接している。この版胴３０４の近傍には、当該版胴３０４へ第一のインキを供給する第一のインキ供給装置（図示省略）及び当該版胴３０４へ湿し水を供給する給水装置（図示省略）がそれぞれ配設されている。
【００１８】
前記圧胴３０２の前記ゴム胴３０３との対接位置よりも当該圧胴３０２の回転方向下流側には、渡胴４０１が対接している。この渡胴４０１には、第二印刷ユニット４００の圧胴４０２が対接している。この圧胴４０２には、ゴム胴４０３が対接している。このゴム胴４０３には、版胴４０４が対接している。この版胴４０４の近傍には、当該版胴４０４へ第二のインキを供給する第二のインキ供給装置（図示省略）及び当該版胴４０４へ湿し水を供給する給水装置（図示省略）がそれぞれ配設されている。
【００１９】
前記圧胴４０２の前記ゴム胴４０３との対接位置よりも当該圧胴４０２の回転方向下流側には、渡胴５０１が対接している。この渡胴５０１には、第三印刷ユニット５００の圧胴５０２が対接している。この圧胴５０２には、ゴム胴５０３が対接している。このゴム胴５０３には、版胴５０４が対接している。この版胴５０４の近傍には、当該版胴５０４へ第三のインキを供給する第三のインキ供給装置（図示省略）及び当該版胴５０４へ湿し水を供給する給水装置（図示省略）がそれぞれ配設されている。
【００２０】
前記圧胴５０２の前記ゴム胴５０３との対接位置よりも当該圧胴５０２の回転方向下流側には、渡胴６０１が対接している。この渡胴６０１には、第四印刷ユニット６００の圧胴６０２が対接している。この圧胴６０２には、ゴム胴６０３が対接している。このゴム胴６０３には、版胴６０４が対接している。この版胴６０４の近傍には、当該版胴６０４へ第四のインキを供給する第四のインキ供給装置（図示省略）及び当該版胴６０４へ湿し水を供給する給水装置（図示省略）がそれぞれ配設されている。
【００２１】
前記圧胴６０２の前記ゴム胴６０３との対接位置よりも当該圧胴６０２の回転方向下流側には、排紙装置７００の排紙胴７０１が対接している。この排紙胴７０１には、スプロケット（図示省略）が同軸上に設けられている。このスプロケットには、くわえ爪を有するくわえ竿（図示省略）を所定の間隔で複数取り付けられたエンドレス型の排紙チェーン７０４が掛けられている。この排紙チェーン７０４は、スプロケット７０３に掛け渡されている。上記排紙チェーン７０４の下方には、排紙台７０５が複数配設されている。
【００２２】
そして、図２〜４に示すように、前記ゴミ取り装置２００の前記ゴム胴２０３は、軸受２０４を介して偏心軸受２０５に回転可能に支持されている。前記偏心軸受２０５は、印刷機のフレーム１０に対して回動可能に支持されている。前記偏心軸受２０５には、アーム２０５ａが突設されている。前記偏心軸受２０５の前記アーム２０５ａの先端側には、リンクプレート２０６の一端側がピン結合されている。
【００２３】
前記リンクプレート２０６の他端側には、Ｌ字型をなすレバー２０７の一端側がピン結合されており、当該レバー２０７は、Ｌ字状の曲折部分が、印刷機のフレームに支持された支持軸２０８に回動可能に支持されている。前記レバー２０７の他端側には、ロッド２０９ａを軸方向に沿って移動させるステッピングモータ２０９の当該ロッド２０９ａの先端側が回動可能に連結されている。前記ステッピングモータ２０９の基端側は、印刷機のフレーム１０に支持されている。
【００２４】
つまり、前記ステッピングモータ２０９を作動させて前記ロッド２０９ａを軸方向に移動させると、前記レバー２０７が揺動して、前記リンクプレート２０６を介して前記偏心軸受２０５の前記アーム２０５ａが揺動することにより、当該偏心軸受２０５が回動して、前記圧胴２０２の外周面に対して前記ゴム胴２０３を対接離反させることができるようになっているのである。
【００２５】
図２，４に示すように、前記ゴム胴２０３の外周面の近傍には、前記フレーム１０に対して回動可能に支持された回動軸２３１が配設されている。この回動軸２３１には、略Ｌ字型をなす一対のブラケット２３２の一端側がそれぞれ固定支持されている。対をなす前記ブラケット２３２の対向面側には、前記ゴム胴２０３の径方向に沿って長手方向を向けた切欠き溝２３２ａが形成されている。
【００２６】
前記ブラケット２３２の近傍には、前記ゴム胴２０３の軸方向へ長手方向を向けた支持ステー２３３の両端に連結されている支持フレーム２３４が配設されている。前記支持フレーム２３４の前記ブラケット２３２との対面側には、当該ブラケット２３２の前記切欠き溝２３２ａ内に係合する係合ローラ２３５及び係合バー２３６が支持部材２３５ａ，２３６ａを介してそれぞれ取り付けられており、当該支持フレーム２３４は、当該ブラケット２３２に対して、当該係合ローラ２３５及び当該係合バー２３６を介して当該切欠き溝２３２ａの長手方向に沿ってスライド移動できるように支承されている。
【００２７】
対をなす前記支持フレーム２３４の先端側（前記ゴム胴２０３側の端部側）には、本発明に係る偏心軸受２４４が対をなすようにしてそれぞれ回動可能に支持されている。前記偏心軸受２４４には、前記ゴム胴２０３の軸方向へ軸方向を向けるように配向されて外周面に粘着性を有する粘着ローラ２３０の軸端が軸受２４５を介してそれぞれ回転可能に支持されている。
【００２８】
前記支持フレーム２３４の前記ブラケット２３２との対向面側の前記偏心軸受２４４の近傍には、径方向へ貫通する貫通穴２４６ａを先端側に形成された支持ピン２４６の基端側が当該先端側を突出させるようにして回動可能に取り付けられている。前記支持ピン２４６の前記貫通穴２４６ａには、調整ねじ２４７の円筒部が周方向に回動可能となるように差し込まれている。前記調整ねじ２４７の円筒部には、前記支持ピン２４６の前記貫通穴２４６ａに対する当該調整ねじ２４７の軸方向への移動を規制する抜け止め２４７ａが取り付けられている。
【００２９】
前記偏心軸受２４４には、アーム２４８の一端側が連結されている。前記アーム２４８の他端側には、軸方向を径方向に向けたねじ穴２４９ａを形成された円柱型の係合ピン２４９が前記偏心軸受２４４の軸方向へ軸心を向けるようにして、言い換えれば、前記偏心軸受２４４の軸方向と直交する方向へ前記ねじ穴２４９ａの軸方向を向けるようにして回動可能に支持されている。前記係合ピン２４９の前記ねじ穴２４９ａには、前記調整ねじ２４７のねじ部が螺合している。
【００３０】
つまり、前記調整ねじ２４７を回転させると、当該調整ねじ２４７のねじ部に沿って前記係合ピン２４９が移動し、当該係合ピン２４９の移動に伴って、前記アーム２４８が揺動して、前記偏心軸受２４４が回動することにより、前記支持フレーム２３４に対して前記粘着ローラ２３０を移動させることができるようになっているのである。なお、図２中、２０は、ゴミ取り装置２００に開閉可能に設けられたカバーである。
【００３１】
前記支持フレーム２３４の基端側には、前記粘着ローラ２３０の軸方向へ軸方向を向けた止めピン２３７が当該支持フレーム２３４に対して軸方向で摺動移動できるように貫通支持されている。前記ブラケット２３２の基端側には、前記止めピン２３７の先端側と着脱可能に嵌合する嵌合穴２３２ｂが形成されている。前記支持フレーム２３４と前記止めピン２３７との間には、当該支持フレーム２３４に対して当該止めピン２３７の先端側を突出させる方向へ付勢する圧縮コイルばね２３８が設けられている。
【００３２】
つまり、前記ブラケット２３２の前記切欠き溝２３２ａに前記係合ローラ２３５及び前記係合バー２３６を載せるように前記支持フレーム２３４を配設して、当該ブラケット２３２の当該切欠き溝２３２ａの先端側の端部にまで当該係合ローラ２３５を当接させるように当該支持フレーム２３４を当該切欠き溝２３２ａに沿ってスライド移動させることにより、当該ブラケット２３２に対して、当該支持フレーム２３４、すなわち、前記粘着ローラ２３０を規定の位置に位置決めすることができ、当該ブラケット２３２の前記嵌合穴２３２ｂ内に前記止めピン２３７を嵌合させることにより、当該ブラケット２３２に対して、当該支持フレーム２３４、すなわち、前記粘着ローラ２３０を規定の位置に固定することができる一方、前記圧縮コイルばね２３８の付勢力に抗して前記止めピン２３７を前記ブラケット２３２の前記嵌合穴２３２ｂから引き抜いて、当該ブラケット２３２から前記支持フレーム２３４を離反させるように前記係合ローラ２３５及び前記係合バー２３６を当該ブラケット２３２の前記切欠き溝２３２ａ上で移動させることにより、当該ブラケット２３２に対して前記粘着ローラ２３０を前記支持フレーム２３４等と共に取り外すことができるようになっているのである。
【００３３】
前記回動軸２３１には、レバー２３９の一端側が連結固定されている。前記レバー２３９の他端側には、エアシリンダ２４０の先端側がピン結合されている。前記エアシリンダ２４０の基端側は、前記フレーム１０に対して支持されている。
【００３４】
つまり、前記エアシリンダ２４０を伸縮させると、前記レバー２３９を介して前記回動軸２３１が回動して、前記ブラケット２３２が揺動し、前記支持フレーム２３４を介して前記粘着ローラ２３０を前記ゴム胴２０３の外周面に対して対接離反させることができるようになっているのである。
【００３５】
また、前記偏心軸受２０５には、前記回動軸２３１側へカム面２４１ａを向けた係合部材であるカム２４１が取り付けられている。前記ブラケット２３２の曲折部分には、支持プレート２４３の基端側が先端側を当該ブラケット２３２から突出させるようにして固定されている。前記支持プレート２４３の先端側には、前記カム２４１の前記カム面２４１ａと当接可能な被係合部材であるカムフォロア２４２が取り付けられている。
【００３６】
なお、図５中、符号３０は、軸部３１の基端側に把持可能な把持部３２を有して前記調整ねじ２４７の頭部と着脱可能に係合する係合部３３を軸部３１の先端に有すると共に、ゴミ取り装置２００の外部で前記把持部３２を把持して当該装置２００の外部から前記調整ねじ２４７の前記頭部に前記係合部３３を係合させて当該装置２００の外部から当該調整ねじ２４７の回転を可能とする長さを有する操作工具である。
【００３７】
つまり、前記エアシリンダ２４０の作動による前記ゴム胴２０３の外周面への前記粘着ローラ２３０の対接に伴って、前記カムフォロア２４２が前記カム２４１の前記カム面２４１ａに弾性的に押し付けられるように当接することにより、前記粘着ローラ２３０が上記エアシリンダ２４０の付勢力（押し付け力）に抗して当該ゴム胴２０３の外周面に対して一定の押圧力で対接できると共に、この状態で前記ステッピングモータ２０９を作動させて、前記レバー２０７、前記リンクプレート２０６等を介して前記偏心軸受２０５を回動させると、当該偏心軸受２０５の回動に伴って前記ゴム胴２０３と共に前記カム２４１が移動して、前記エアシリンダ２４０の付勢力（押し付け力）に抗しつつ前記カムフォロア２４２が前記カム２４１の前記カム面２４１ａに沿って移動することにより、前記支持プレート２４３、前記ブラケット２３２、前記支持フレーム２３４等を介して前記粘着ローラ２３０が上記カム２４１の上記カム面２４１ａに沿って移動、すなわち、当該粘着ローラ２３０を前記ゴム胴２０３の外周面に押圧力を変えることなく一定の押圧力で対接させたまま当該ゴム胴２０３の移動に追従させるように移動させることができ、さらに、前記操作工具３０で前記調整ねじ２４７を回転させて、前記係合ピン２４９、前記アーム２４８、前記偏心軸受２４４等を介して前記粘着ローラ２３０を前記支持フレーム２３４に対して移動させることにより、前記ゴム胴２０３の外周面に対する前記粘着ローラ２３０の押圧力を調整することができるようになっているのである。
【００３８】
このような本実施形態においては、前記軸受２０４、前記偏心軸受２０５等により、回転体支持手段を構成し、前記リンクプレート２０６、前記レバー２０７、前記支持軸２０８、前記ステッピングモータ２０９等により、回転体移動手段を構成し、前記回動軸２３１、前記ブラケット２３２、前記支持ステー２３３、前記支持フレーム２３４、前記係合ローラ２３５、前記係合バー２３６、前記止めピン２３７、前記圧縮コイルばね２３８、支持プレート２４３等により、粘着ローラ支持手段を構成し、前記レバー２３９、前記エアシリンダ２４０等により、粘着ローラ押圧手段を構成し、前記支持ピン２４６、前記調整ねじ２４７、前記アーム２４８、前記係合ピン２４９、前記操作工具３０等により、偏心軸受回動手段を構成し、当該偏心軸受回動手段、前記偏心軸受２４４、前記軸受２４５等により、粘着ローラ押圧力調整手段を構成している。
【００３９】
次に、上述したようなゴミ取り装置２００を備えた本実施形態に係る枚葉印刷機の作動を説明する。
【００４０】
前記給紙装置１００の給紙台１０１上の枚葉紙１をフィーダボード１０２上に一枚ずつ給紙してスイング装置１０３で前記渡胴２０１に一枚ずつ受け渡すと、当該枚葉紙１は、当該渡胴２０１から前記ゴミ取り装置２００の前記圧胴２０２に受け渡され、当該圧胴２０２と前記ゴム胴２０３との対接位置を通過することにより、紙粉や裏移り防止用のパウダ等のゴミが前記ゴム胴２０３に付着して取り除かれた後、渡胴３０１を介して第一印刷ユニット３００の圧胴３０２に受け渡され、版胴３０４に供給された第一のインキがゴム胴３０３を介して転写されて印刷される。
【００４１】
続いて、上記枚葉紙１は、渡胴４０１を介して第二印刷ユニット４００の圧胴４０２に受け渡され、版胴４０４に供給された第二のインキがゴム胴４０３を介して転写されて印刷され、渡胴５０１を介して第三印刷ユニット５００の圧胴５０２に受け渡され、版胴５０４に供給された第三のインキがゴム胴５０３を介して転写されて印刷され、渡胴６０１を介して第四印刷ユニット６００の圧胴６０２に受け渡され、版胴６０４に供給された第四のインキがゴム胴６０３を介して転写されて印刷された後、排紙装置７００の排紙胴７０１に受け渡され、排紙チェーンの前記くわえ竿にくわえ替えされて搬送され、排紙台７０５上に排紙される。
【００４２】
他方、上記枚葉紙１から前記ゴミを除去した前記ゴミ取り装置２００は、前記ゴム胴２０３に付着した前記ゴミが前記粘着ローラ２３０の外周面に転移することにより、当該ゴム胴２０３が再生されて、新たに送給される枚葉紙１に付着している前記ゴミを再び付着させて取り除く。
【００４３】
このようにして枚葉紙１に付着している前記ゴミを取り除きながら印刷を行って、前記粘着ローラ２３０による前記ゴム胴２０３からの前記ゴミの転移回収能力が低下したら、印刷終了後、前記粘着ローラ２３０を上記ゴム胴２０３から離反させるように前記エアシリンダ２４０を伸長した後、前記カバー２０を開けて、前記止めピン２３７を前記ブラケット２３２の前記嵌合穴２３２ｂから引き抜いて、当該ブラケット２３２から前記支持フレーム２３４を離反させるように前記係合ローラ２３５及び前記係合バー２３６を当該ブラケット２３２の前記切欠き溝２３２ａ上で移動させて、当該ブラケット２３２から前記支持フレーム２３４等と共に前記粘着ローラ２３０を取り外すことにより、当該粘着ローラ２３０を洗浄して粘着性能を回復させる。
【００４４】
上記粘着ローラ２３０の洗浄を終えたら、前記ブラケット２３２の前記切欠き溝２３２ａに前記係合ローラ２３５及び前記係合バー２３６を載せるように前記支持フレーム２３４を再び配設して、当該ブラケット２３２の当該切欠き溝２３２ａの先端側の端部にまで当該係合ローラ２３５を当接させるように当該支持フレーム２３４を当該切欠き溝２３２ａに沿ってスライド移動させて、前記粘着ローラ２３０を規定の位置に位置決めし、当該ブラケット２３２の前記嵌合穴２３２ｂ内に前記止めピン２３７を嵌合させて、前記粘着ローラ２３０を規定の位置に固定した後、前記カバー２０を閉じて、前記エアシリンダ２４０を収縮させると、前記ゴム胴２０３の外周面へ前記粘着ローラ２３０が対接すると共に、前記カムフォロア２４２が前記カム２４１の前記カム面２４１ａに弾性的に押し付けられるように当接することにより、当該粘着ローラ２３０が当該エアシリンダ２４０の付勢力（押し付け力）に抗して当該ゴム胴２０３の外周面に対して一定の押圧力で対接し、当初の状態に簡単に復帰する。
【００４５】
そして、先に印刷していた枚葉紙１と異なる特性（厚さや質等）の枚葉紙１を印刷する場合には、前記圧胴２０２と前記ゴム胴２０３との対接位置のニップ量を当該枚葉紙１の当該特性に対応させるように、前記ステッピングモータ２０９を作動させて前記偏心軸受２０５を回動させることにより、前記ゴム胴２０３を移動させる。
【００４６】
このとき、前記ゴム胴２０３の移動に伴って前記カム２４１も移動し、前記エアシリンダ２４０の付勢力（押し付け力）に抗しつつ前記カムフォロア２４２が上記カム２４１の前記カム面２４１ａに沿って移動するので、前記粘着ローラ２３０が上記カム２４１の上記カム面２４１ａに沿って移動、すなわち、当該粘着ローラ２３０が前記ゴム胴２０３の外周面に押圧力を変えることなく一定の押圧力で対接したまま当該ゴム胴２０３の移動に追従するように移動する。このため、上記粘着ローラ２３０は、上記ゴム胴２０３が移動しても、調整された押圧力をそのまま維持することができる。
【００４７】
続いて、前記カバー２０を開けて、前記操作工具３０の前記把持部３２を把持してゴミ取り装置２００の外部から係合部３１を挿入して前記調整ねじ２４７の頭部に係合させた後、前記軸部３１を回転させて当該調整ねじ２４７を回転させると、前記係合ピン２４９、前記アーム２４８、前記偏心軸受２４４等を介して前記粘着ローラ２３０が前記支持フレーム２３４に対して移動することにより、上記枚葉紙１の上記特性に対応するように、当該粘着ローラ２３０と前記ゴム胴２０３との対接位置のニップ量に調整して、当該ゴム胴２０３の外周面に対する当該粘着ローラ２３０の押圧力を調整することができる。
【００４８】
したがって、本実施形態によれば、前記ゴム胴２０３を移動させてしまっても、当該ゴム胴２０３に対する前記粘着ローラ２３０の押圧力の調整を容易に行うことができる。
【００４９】
［他の実施形態］
なお、前述した実施形態においては、枚葉紙１に印刷を施す枚葉印刷機に適用した場合について説明したが、本発明はこれに限らず、例えば、ウエブに印刷を施すウエブ印刷機に適用することができるのはもちろんのこと、搬送されているシート又はウエブに付着しているゴミを回転体に付着させて当該回転体から粘着ローラにゴミを転移させて取り除くゴミ取り装置であれば、前述した実施形態の場合と同様な作用効果を得ることができる。
【産業上の利用可能性】
【００５０】
本発明に係るゴミ取り装置は、回転体を移動させてしまっても、当該回転体に対する粘着ローラの押圧力の調整を容易に行うことができるので、印刷産業を始めとする各種産業において極めて有益に利用することができる。
【符号の説明】
【００５１】
１  枚葉紙
１０  フレーム
２０  カバー
３０  操作工具
３１  軸部
３２  把持部
３３  係合部
１００  給紙装置
１０１  給紙台
１０２  フィーダボード
１０３  スイング装置
２００  ゴミ取り装置
２０１  渡胴
２０２  圧胴
２０３  ゴム胴
２０４  軸受
２０５  偏心軸受
２０５ａ  アーム
２０６  リンクプレート
２０７  レバー
２０８  支持軸
２０９  ステッピングモータ
２０９ａ  ロッド
２３０  粘着ローラ
２３１  回動軸
２３２  ブラケット
２３２ａ  切欠き溝
２３２ｂ  嵌合穴
２３３  支持ステー
２３４  支持フレーム
２３５  係合ローラ
２３５ａ  支持部材
２３６  係合バー
２３６ａ  支持部材
２３７  止めピン
２３８  圧縮コイルばね
２３９  レバー
２４０  エアシリンダ
２４１  カム
２４１ａ  カム面
２４２  カムフォロア
２４３  支持プレート
２４４  偏心軸受
２４５  軸受
２４６  支持ピン
２４６ａ  貫通穴
２４７  調整ねじ
２４７ａ  抜け止め
２４８  アーム
２４９  係合ピン
２４９ａ  ねじ穴
３００  第一印刷ユニット
３０１  渡胴
３０２  圧胴
３０３  ゴム胴
３０４  版胴
４００  第二印刷ユニット
４０１  渡胴
４０２  圧胴
４０３  ゴム胴
４０４  版胴
５００  第三印刷ユニット
５０１  渡胴
５０２  圧胴
５０３  ゴム胴
５０４  版胴
６００  第四印刷ユニット
６０１  渡胴
６０２  圧胴
６０３  ゴム胴
６０４  版胴
７００  排紙装置
７０１  排紙胴
７０３  スプロケット
７０４  排紙チェーン
７０５  排紙台                                                                             
【図１】
0005851747.tif 000002
【図２】
0005851747.tif 000003
【図３】
0005851747.tif 000004
【図４】
0005851747.tif 000005
【図５】
0005851747.tif 000006